(57)【要約】【課題】煩雑な操作を伴うことなく、当該ユーザにとって適切な表示状態で連絡先データを表示できるようにした電話装置等を提供する。【解決手段】表示させる画面が文字書式学習制限画面である場合には当該画面のＩＤを取得する（Ｓ２０２）。学習データ記憶部に、Ｓ２０２又はＳ２０３で取得した該当ＩＤが記憶されている場合には、学習データ記憶部から当該ＩＤに対応する学習データ（文字書式）を取得する（Ｓ２０５）。しかる後に、表示画面種類記憶部に記憶されている画面の種類に従って、文字表示を反映させて内容（インデックスあるいはデータ）表示を行う（Ｓ２０７）。したがって、学習データ記憶部に、連絡先データのＩＤに対応して、「サイズ大、ゴシック」が記憶されていると、連絡先データ表示を行った場合には、当該データ表示が文字サイズ大、ゴシックでなされる。【選択図】        図１２
2005020670.tif 000002
【特許請求の範囲】
【請求項１】
電話番号を含む連絡先データを複数記憶したアドレス帳記憶手段と、
このアドレス帳記憶手段に複数記憶されている連絡先データより特定の連絡先データを選択し、この選択された連絡先データに含まれる電話番号で特定される発信先へ発呼する発呼手段を備えた電話装置において、
前記連絡先データを表示する表示手段と、
この表示手段に表示された連絡先データの文字書式を変更する変更手段と、
この変更手段によって変更された文字書式と前記表示手段に表示された連絡先データとを対応付けて記憶する変更記憶手段と
を備えたことを特徴とする電話装置。
【請求項２】
前記変更記憶手段は、前記アドレス帳記憶手段に記憶されている複数の連絡先データの夫々と対応付けて、文字書式を記憶することを特徴とする請求項１に記載の電話装置。
【請求項３】
前記文字書式は文字のサイズであることを特徴とする請求項１または２に記載の電話装置。
【請求項４】
前記文字書式は文字のフォントであることを特徴とする請求項１または２に記載の電話装置。
【請求項５】
電話番号を含む連絡先データを複数記憶したメモリより特定の連絡先データを読み出して表示する連絡先データ表示方法であって、
前記表示された連絡先データの文字書式を変更する変更ステップと、
この変更ステップにて変更された文字書式と前記表示手段に表示された連絡先データとを対応付けてメモリに記憶させる記憶ステップと
からなることを特徴とする連絡先データ表示方法。
【請求項６】
電話番号を含む連絡先データを複数記憶したアドレス帳記憶手段と、
このアドレス帳記憶手段に複数記憶されている連絡先データより特定の連絡先データを選択し、この選択された連絡先データに含まれる電話番号で特定される発信先へ発呼する発呼手段を備えた電話装置が有するコンピュータを、
前記連絡先データを表示させる表示制御手段と、
この表示制御手段により表示された連絡先データの文字書式を変更する変更手段と、
この変更手段によって変更された文字書式と前記表示制御手段によって表示された連絡先データとを対応付けて記憶させる変更記憶制御手段と
して機能させることを特徴とする連絡先データ表示制御プログラム。
【発明の詳細な説明】
【０００１】
【発明の属する技術分野】
本発明は、連絡先表示機能を備えた電話装置、連絡先データ表示方法及び連絡先データ表示制御プログラムに関する。
【０００２】
【従来の技術】
今日においては、携帯電話装置を始め固定電話装置においても表示画面を備えるものが一般的に使用されるに至っている。また、この表示画面に表示させ得る情報も、電話装置に記憶されている表示情報に基づく画面表示のみならず、電話装置と配信センターとを通信回線で接続し、配信センターが有するデータベースから表示画面に関する複数のデータを順次表示させ、複数のデータを選択しながら電話装置に登録して、電話装置の画面表示を自由に変更、設定することができる電話装置も提案されるに至っている（例えば、特許文献１参照。）。
【０００３】
【特許文献１】
特開２００１−２５７７８１号公報
【０００４】
【発明が解決しようとする課題】
しかしながら、前述した従来の電話装置にあっては、配信センターが有するデータベースから複数のデータを選択して電話装置に登録することにより、画面表示を自由に変更するものであることから、自由に変更できる画面表示はデータベースに格納されている汎用的なデータに限定される。したがって、電話装置に記憶されている電話番号を含む連絡先データのように、ユーザが記憶させた個人的なデータまでも、その表示形態を自由に変更し得るものではない。
【０００５】
無論、連絡先データを表示する際に、文字サイズを小さくして表示することにより限定された画面内における文字数を増やして視認性を良くたり、逆に文字サイズを大きくして視認性を良くする等の、設定は可能である。しかし、連絡先データを表示す都度このような設定操作を行うことは煩雑であり、また、連絡先データは当該連絡先となる者に応じてデータ量も異なることから、データ量に応じて適切な視認性のある文字書式で表示させることは極めて煩雑となってしまう。
【０００６】
本発明は、このような従来の課題に鑑みてなされたものであり、煩雑な操作を伴うことなく、当該ユーザにとって適切な表示状態で連絡先データを表示できるようにした電話装置、連絡先データ表示方法及び連絡先データ表示制御プログラムを提供することを目的とするものである。
【０００７】
【課題を解決するための手段】
前記課題を解決するために請求項１記載の発明に係る電話装置にあっては、電話番号を含む連絡先データを複数記憶したアドレス帳記憶手段と、このアドレス帳記憶手段に複数記憶されている連絡先データより特定の連絡先データを選択し、この選択された連絡先データに含まれる電話番号で特定される発信先へ発呼する発呼手段を備えた電話装置において、前記連絡先データを表示する表示手段と、この表示手段に表示された連絡先データの文字書式を変更する変更手段と、この変更手段によって変更された文字書式と前記表示手段に表示された連絡先データとを対応付けて記憶する変更記憶手段とを備えている。
【０００８】
したがって、表示手段に連絡先データを表示し、この表示手段に表示された連絡先データの文字書式を変更手段によって変更すると、この変更手段によって変更された文字書式と表示された連絡先データとが対応付けて記憶される。よって、以降この連絡先データを表示させる際には、これと対応付けて記憶されている文字書式に従って当該連絡先データを表示させることができる。その結果、煩雑な操作を伴うことなく、当該ユーザにとって適切な表示状態で連絡先データを容易に表示できるようになる。
【０００９】
また、請求項２記載の発明に係る電話装置にあっては、前記変更記憶手段は、前記アドレス帳記憶手段に記憶されている複数の連絡先データの夫々と対応付けて、文字書式を記憶する。したがって、当該連絡先となる者に応じて登録文字数が異なっても、各連絡先データの夫々と対応付けて文字書式が記憶されることにより、各連絡先データ毎に当該ユーザにとって適切な表示状態で容易に表示することができる。
【００１０】
また、請求項３記載の発明に係る電話装置にあっては、前記文字書式は文字のサイズである。したがって、表示手段に連絡先データを表示し、この表示手段に表示された連絡先データの文字サイズを変更手段によって変更すると、この変更手段によって変更された文字サイズと表示された連絡先データとが対応付けて記憶される。よって、以降この連絡先データを表示させる際には、これと対応付けて記憶されている文字サイズに従って当該連絡先データを表示させることができる。その結果、煩雑な操作を伴うことなく、当該ユーザにとって適切な大きさの文字で連絡先データを容易に表示できるようになる。
【００１１】
また、請求項４記載の発明に係る電話装置にあっては、前記文字書式は文字のフォントである。したがって、表示手段に連絡先データを表示し、この表示手段に表示された連絡先データの文字のフォントを変更手段によって変更すると、この変更手段によって変更された文字のフォントと表示された連絡先データとが対応付けて記憶される。よって、以降この連絡先データを表示させる際には、これと対応付けて記憶されている文字のフォントに従って当該連絡先データを表示させることができる。その結果、煩雑な操作を伴うことなく、当該ユーザが好みのフォントで連絡先データを容易に表示できるようになる。
【００１２】
また、請求項５記載の発明に係る電話装置にあっては、電話番号を含む連絡先データを複数記憶したメモリより特定の連絡先データを読み出して表示する連絡先データ表示方法であって、前記表示された連絡先データの文字書式を変更する変更ステップと、この変更ステップにて変更された文字書式と前記表示手段に表示された連絡先データとを対応付けてメモリに記憶させる記憶ステップとからなる。したがって、記載したステップに従って処理を実行することにより、請求項１記載の発明と同様の作用効果を奏する。
【００１３】
また、請求項６記載の発明に係る電話装置にあっては、電話番号を含む連絡先データを複数記憶したアドレス帳記憶手段と、このアドレス帳記憶手段に複数記憶されている連絡先データより特定の連絡先データを選択し、この選択された連絡先データに含まれる電話番号で特定される発信先へ発呼する発呼手段を備えた電話装置が有するコンピュータを、前記連絡先データを表示させる表示制御手段と、この表示制御手段に表示された連絡先データの文字書式を変更する変更手段と、この変更手段によって変更された文字書式と前記表示制御手段に表示された連絡先データとを対応付けて記憶させる変更記憶制御手段として機能させる。したがって、前記コンピュータがこのプログラムに従って処理を実行することにより、請求項１記載の発明と同様の作用効果を奏する。
【００１４】
【発明の実施の形態】
【００１５】
以下、本発明を携帯電話に適用した実施の形態を図に従って説明する。図１（ａ）（ｂ）は、携帯電話１の外観図（開状態：正面図及び背面図）である。本実施の形態における携帯電話１は、蓋部と本体部とからなる二つ折りの構造である。アンテナ１１は、蓋部の背面に設けられており、伸縮自在となっている。スピーカ１２は、蓋部の前面側に設けられており、音声出力を行う。表示部（メイン表示部）１３は、カラー液晶であり、１２０ドット（幅）×１６０ドット（高さ）である。
【００１６】
キー操作部１４は、本体部の前面に設けられており、各種機能キー（メールキー１４１、アドレスキー１４２、ファンクションキー１４３、文字切替キー１４５）、テンキー１４４などからなる。メールキー１４１は、メール機能を起動し、メールメニューを表示するためのものである。文字切替キー１４５は、表示部１３に表示される文字のサイズとフォントとを切り替える際に操作されるキーであって、一つのキーで文字サイズと文字フォントとを切り替えるように構成され、キーを押下している時間でいずれの切り替えを行うかが決定される（本実施の形態においては、短く押下された場合には文字サイズの切り替え、長く押下された場合には文字フォントの切り替えである。）。テンキー１４４は、電話番号や文字の入力、及び絵文字の入力の際に使用するものである。マイク１５は、本体部の下部に設けられており、音声入力を行う。
【００１７】
サブ表示部１６は、蓋部の背面に設けられている。背面キー１７は、透明、又は半透明部材で構成され、着信の際、発光するするＬＥＤ１７１を内蔵している。報知スピーカ１９は、着信などを報知するものであり、蓋部本体部に閉じた状態でも報知音が聞こえるように、本体部の裏面に配置されている。
【００１８】
図２は、携帯電話１の構成を示すブロック図である。無線送受信部２０は、ＣＤＭＡ方式の無線信号をによりアンテナ１１を介して受信し、後段の無線信号処理部２１に出力する一方、無線信号処理部２１から入力された各種データを無線信号変調してアンテナ１１より出力する。音声やデータ（メールデータ）を送受信し変調／復調する。無線信号処理部２１は、無線送受信部２０で受信した各種データ音声やデータを復調して、音声データであれば、音声信号処理部３０に出力し、パケット送信されたデータ（メールデータ等）であれば、ＲＡＭ２９に出力する。また一方、送信の際には、あるいは無線送受信部２０へ送信するための音声データやデータを変調するなどの無線通信に必要な処理をする。制御部２２は、各種動作及び全体の動作を制御する。
【００１９】
ＲＯＭ２４は、書換可能なＦｌａｓｈ  ＲＯＭで構成され、本発明の特徴となる、後述のフローチャートにより示すプログラム等の各種プログラムを格納する。ドライバ２５は、表示部１３を駆動する。ドライバ２６は、サブ表示部１６を駆動する。加入者情報記憶部２７は、本携帯電話１を呼び出すための電話番号や、操作者（加入者）のＩＤ等、プロフィールデータを格納する。ＲＯＭ２８は、制御部２２を制御する各種プログラムなどを格納する。ＲＡＭ２９は、無線通信端末として必要な各種データを記憶し、かつ制御部２２が動作する上で必要なデータを格納するとともに、メールデータも格納記憶する。
【００２０】
音声信号処理部２００３０は、マイク１５から入力された音声信号を符号化処理したり、無線信号処理部２１から出力された信号に基づいて復号化してスピーカ１２を駆動させ、音声を出力する。報知デバイス１９２は、報知スピーカ１９、バイブレータ１９１、ＬＥＤ１７１を駆動させるためのドライバである。
【００２１】
図３は、前記ＲＯＭ２４のメモリエリアの構成を示す概念図である。このＲＯＭ２４は、本実施の形態の特徴であるソフトウェアプログラムを格納する。ＲＯＭ２４は、メールソフトウェアプログラム領域２４１と、その他のプログラム領域２４２、及び文字書式学習制限画面記憶部２４３等からなる。メールソフトウェアプログラム領域２４１は、アプリケーション本体を格納し、その他のプログラム領域２４２はこれ以外のアプリケーションプログラムなどを格納する。文字書式学習制限画面記憶部２４３には、表示文字サイズやフォント等の設定に制限を加える画面の種類が記憶されている。
【００２２】
図４は、前記文字書式学習制限画面記憶部２４３の記憶内容を示すものであり、本実施の形態においては、アドレス帳インデックス表示２４３１、メモインデックス表示２４３２、受信メール一覧２４３３等の識別名が各々固有のＩＤ２とともに記憶されている。これらの各識別名２４３１、２４３２、２４３３で示されるインデックス表示等は、これに含まれているデータ個々にではなく、表示画面全体として表示文字サイズやフォントを変更して表示するものである。
【００２３】
図５は、前記ＲＡＭ２９のメモリエリアの構成を示す概念図である。ＲＡＭ２９は、表示画面種類記憶部２９１、登録データ記憶部２９２、学習データ記憶部２９３、その他・ワークメモリ２９４等を有している。表示画面種類記憶部２９１は、アドレスインデックス表示やアドレス帳データ表示等、現在表示部１３に表示している画面の種類を表示する直前に記憶する。
【００２４】
登録データ記憶部２９２は、図６に示すように、アドレス帳データ格納領域２９２１、メールデータ格納領域２９２２、添付ファイル格納領域２９２３からなる。アドレス帳データ格納領域２９２１は、図７に示すように、氏名、電話番号、メールアドレス等を一組のレコードとして、各レコードが固有のＩＤ２に対応させて複数記憶する。メールデータ格納領域２９２２は、メールソフトウェアを使用して作成されたメールデータや、受信したメールデータを格納する。添付ファイル格納領域２９２３は、メールにファイルが添付されている場合、このファイルを格納する。
【００２５】
また、前記学習データ記憶部２９３は、後述するように表示文字サイズやフォント等の学習データを記憶する。その他・ワークメモリ２９４は、その他のワークメモリとして各種データ格納する。
【００２６】
なお、図８（Ａ）に示すように本実施の形態においては、文字切替キー１４５の操作により、インデックス表示の場合には表示部１３に表示される文字のサイズを文字サイズ小Ｐ１、中Ｐ２、大Ｐ３の３種類のいずれかで表示することが可能であるものとする。また、同図（Ｂ）に示すように、データ表示の場合には、文字サイズ小Ｐ１と文字サイズ中Ｐ２の２種類のいずれかで表示することが可能であるものとする。さらに、同図（Ｃ）に示すように文字フォントは、ゴシックＦ１、明朝Ｆ２、丸ゴシックＦ３の３種類のいずれかで表示することが可能であるものとする。
【００２７】
次に、以上の構成に係る本実施形態の動作について説明する。すなわち、この携帯電話１の使用開始直後においては、図９（Ａ）に示すように、学習データ記憶部２９３はデータが記憶されていない「空」の状態にある。
【００２８】
一方、前述の図７に示したように、アドレス帳データ格納領域２９２１には、氏名、電話番号、メールアドレス等を一組のレコードとして、５件のレコードが記憶されている。そして、キー操作部１４での操作によりアドレス帳インデックス表示を指示すると、制御部２２は、アドレス帳データ格納領域２９２１に記憶されているレコードに基づき、図１０（Ａ）に示すように、表示部１３にアドレス帳インデックス表示を行う。このとき、前述のように、学習データ記憶部２９３にデータが記憶されていない場合には、表示をデフォルト値で行う。本実施の形態においては、表示のデフォルト値は、文字サイズ＝小、文字フォント＝ゴシックであり、よって、図１０（Ａ）の表示は、文字サイズ＝小Ｐ１、文字フォント＝ゴシックＦ１で行われる。また、表示画面種類記憶部２９１には、「アドレス帳インデックス表示」であることが格納される。
【００２９】
この状態において、制御部２２は、ＲＯＭ２４に格納されているプログラムに基づき、図１１に示すフローチャートに従って処理を実行する。先ず、文字サイズの切り替えがなされたか否かを判断する（ステップＳ１０１）。そして、文字切替キー１４５が短く押下されて文字サイズの切り替えが指示された場合には（ステップＳ１０１；ＹＥＳ）、押下に応じて文字サイズを決定し（ステップＳ１０２）、これに伴って表示部１３の表示文字サイズを変化させる。図１０（Ｂ）は、文字切替キー１４５を短く２回押下して文字サイズを大Ｐ３に切り替えた表示である。
【００３０】
また、図１０（Ｂ）のインデックス表示の状態から、「山田太郎」を選択した後、ファンクションキー１４３が押下されると同図（Ｃ）のデータ表示に遷移する。このデータ表示においては、インデックス表示で選択されたデータのＩＤを取得し、この取得したＩＤに対応するデータをアドレス帳データ格納領域２９２１より読み出して表示する。このとき、前述のように、学習データ記憶部２９３にデータが記憶されていない場合には、表示をデフォルト値で行う。本実施の形態においては、前述のように表示のデフォルト値は、文字サイズ＝小、文字フォント＝ゴシックであり、よって、図１０（Ｃ）の表示は、文字サイズ＝小Ｐ１、文字フォント＝ゴシックＦ１で行われる。また、表示画面種類記憶部２９１には、「アドレス帳のデータ表示」であることが格納される。
【００３１】
この状態において、前述と同様に文字サイズの切り替えがなされたか否かが判断され（ステップＳ１０１）、文字切替キー１４５が短く押下されて文字サイズの切り替えである場合には（ステップＳ１０１；ＹＥＳ）、押下に応じて文字サイズを決定し（ステップＳ１０２）、これに伴って表示部１３の表示文字サイズを変化させる。図１０（Ｄ）は、同図（Ｃ）の表示状態で文字切替キー１４５を短く１回押下して文字サイズ中Ｐ２に切り替えた表示である。
【００３２】
他方、前記ステップＳ１０１での判別の結果、文字サイズの切り替えがなされなかった場合には（ステップＳ１０１；ＮＯ）、文字フォントの切り替えがなされたか否かを判断する（ステップＳ１０３）。文字フォント切り替えがなされた場合には、図１０（Ｅ）に示すように、フォント選択画面１３１を表示させ、このフォント選択画面１３１から選択された文字フォントを決定し（ステップＳ１０４）、これに伴って表示部１３の文字フォントを変化させる。図１０（Ｆ）は、フォント選択画面１３１から「明朝」が選択されて文字フォントを明朝Ｆ２に切り替えた表示である。
【００３３】
そして、ステップＳ１０２又はステップＳ１０４に続くステップＳ１０５では、現在表示部１３に表示されている画面が、図４に示した文字書式学習制限画面記憶部２４３に記憶されている文字書式学習制限画面のいずれかに該当するか否かを判断する（ステップＳ１０５）。図１０（Ｂ）に示した画面は、「アドレス帳インデックス表示」であって、文字書式学習制限画面であることから（ステップＳ１０５；ＹＥＳ）、画面のＩＤ（この場合、「アドレス帳インデックス表示」のＩＤ＝「０００００１」）を取得する（ステップＳ１０７）。しかし、図１１（Ｄ）に示した画面は「アドレス帳のデータ表示」であって、文字書式学習制限画面ではないことから（ステップＳ１０５；ＮＯ）、選択／表示されているデータのＩＤ（この場合、データ「山田太郎」のＩＤ＝「０１０００」）を取得する（ステップＳ１０６）。
【００３４】
そして、ステップＳ１０６又はステップＳ１０７に続くステップＳ１０８で学習データ記憶部２９３にこの取得したＩＤに該当するＩＤがあるか否かを判断する（ステップＳ１０８）。該当ＩＤがない場合には（ステップＳ１０８；ＮＯ）、設定された文字書式がデフォルトの文字書式内容（文字サイズ＝小、文字フォント＝ゴシックＦ１）と同じであるか否かを判断する（ステップＳ１０９）。同じである場合には、ステップＳ１１０の処理を実行することなく、このフローに従った処理を終了する。しかし、同じでない場合には、学習データ記憶部２９３に学習データを追加する。
【００３５】
すなわち、図１０（Ｂ）に示した「アドレス帳インデックス表示」は文字書式学習制限画面であることから、図９（Ｂ）に示すように、当該画面のＩＤ２（０００００１）と、このＩＤ２に対応させて当該画面に設定された文字サイズ３（サイズ大）と、文字フォント４（ゴシックＦ１）とからなる学習データ５を学習データ記憶部２９３に追加記憶させる（ステップＳ１１０）。また、図１０（Ｄ）に示した「アドレス帳のデータ表示」は文字書式学習制限画面ではないことから、図９（Ｃ）の下段に示すように、当該データＩＤ２（０１０００）と、このＩＤ２に対応させてデータに設定された文字サイズ３（サイズ中）と、文字フォント４（ゴシック）とからなる学習データ５を学習データ記憶部２９３に追加記憶させる（ステップＳ１１０）。
【００３６】
また、ステップＳ１０８での判断の結果、学習データ記憶部２９３に前記取得したＩＤに該当するＩＤ（該当ＩＤ）がある場合には（ステップＳ１０８；ＹＥＳ）、前述のステップＳ１０９と同様に、設定された文字書式がデフォルトの文字書式内容（文字サイズ＝小、文字フォント＝ゴシック）と同じであるか否かを判断する（ステップＳ１１１）。同じである場合には、学習データ記憶部２９３から記憶されている該当ＩＤの学習データを削除する（ステップＳ１１２）。つまり、該当ＩＤの学習データがデフォルト値であるならば、この該当ＩＤの学習データを学習データ記憶部２９３に記憶させる必要はないことから、削除のみを行う。
【００３７】
しかし、設定された文字書式がデフォルトの文字書式内容と同じではない場合には、学習データ記憶部２９３の該当ＩＤに対応する学習データを更新する（ステップＳ１１３）。すなわち、図９（Ｃ）の下段に示したように、学習データ記憶部２９３に「０１００００、サイズ中、ゴシック」が記憶されている状態で、図１０（Ｆ）に示したように「明朝」が選択されて文字フォントを「明朝」に切り替えた場合には、「０１００００、サイズ中、ゴシック」の「ゴシック」を「明朝」に変更して学習データを更新する。
【００３８】
また、制御部２２は、ＲＯＭ２４に格納されているプログラムに基づき、図１２に示すフローチャートに従って処理を実行する。すなわち、表示部１３に表示させる画面が文字書式学習制限画面であるか否かを判断し（ステップＳ２０１）、文字書式学習制限画面である場合には当該画面のＩＤを取得する（ステップＳ２０２）。また、表示部１３に表示させる画面が文字書式学習制限画面ではない場合には（ステップＳ２０１；ＮＯ）、選択／表示させるデータのＩＤを取得する（ステップＳ２０３）。
【００３９】
そして、ステップＳ２０２又はＳ２０３に続くステップＳ２０４では、学習データ記憶部２９３にステップＳ２０２又は２０３で取得した該当ＩＤが記憶されているか否かを判断する。該当ＩＤが記憶されている場合には、学習データ記憶部２９３から当該ＩＤに対応する学習データ（文字書式）を取得する（ステップＳ２０５）。また、該当ＩＤが学習データ記憶部２９３に記憶されてない場合には、文字書式にデフォルト値（デフォルト文字サイズ＝小、文字フォント＝ゴシック）を設定する（ステップＳ２０６）。
【００４０】
しかる後に、このとき表示画面種類記憶部に記憶されている画面の種類に従って、文字表示を反映させて内容（インデックスあるいはデータ）表示を行う（ステップＳ２０７）。したがって、図９（Ｄ）の上段に示したように学習データ記憶部２９３には、アドレス帳インデックス表示のＩＤである「０００００１」に対応して、「サイズ大、ゴシック」が記憶されていることから、アドレス帳インデックス表示を行った場合には、図１３（Ａ）に示したように、アドレス帳インデックス表示が文字サイズ大Ｐ３、ゴシックＦ１でなされることとなる。
【００４１】
また、図９（Ｄ）の下段に示したように学習データ記憶部２９３には、「山田太郎」のＩＤである「０１０００」に対応して、「サイズ中、明朝」が記憶されていることから、図１３（Ａ）の画面から「山田太郎」を選択してデータ表示を行った場合には、同図（Ｂ）に示したように、「山田太郎」のデータ表示が文字サイズ中Ｐ２、明朝Ｆ２でなされることとなる。さらに、図１３（Ａ）の画面から「伊藤真一郎」を選択してデータ表示を行った場合には、図９に示したように学習データ記憶部２９３には、「伊藤真一郎」のＩＤが記憶されていないことから、図１３（Ｃ）に示したように、「伊藤真一郎」のデータ表示がデフォルトである文字サイズ＝小Ｐ１、文字フォント＝ゴシックＦ１で表示されることとなる。
【００４２】
このように、本発明の実施の形態によれば、表示画面上の文字書式（サイズ、フォント）を文字切替キー１４５により任意に変更でき、かつ、その文字書式を表示された画面毎に学習させることができる。
【００４３】
尚、本実施の形態においては、アドレス帳データについて述べたが、携帯電話１のメールソフトウェアプログラムにより起動させ、メール本文を表示させた場合においても適用させることが可能である。
【００４４】
【発明の効果】
以上説明したように本発明によれば、表示手段に連絡先データを表示し、この表示手段に表示された連絡先データの文字書式を変更することにより、この変更された文字書式と表示された連絡先データとが対応付けて記憶することができる。したがって、以降この連絡先データを表示させる際には、これと対応付けて記憶されている文字書式に従って当該連絡先データを表示させることができる。よって、煩雑な操作を伴うことなく、当該ユーザにとって適切な表示状態で連絡先データを容易に表示することが可能となる。
【図面の簡単な説明】
【図１】本発明の一実施の形態に係る携帯電話の外観図である。
【図２】同携帯電話の構成を示すブロック図である。
【図３】ＲＯＭのメモリエリアの構成を示す概念図である。
【図４】文字書式学習制限画面記憶部の記憶内容を示す図である。
【図５】ＲＡＭのメモリエリアの構成を示す概念図である。
【図６】登録データ記憶部のメモリエリアの構成を示す概念図である。
【図７】アドレス帳データ格納領域のメモリエリアの構成を示す概念図である。
【図８】本実施の形態における表示遷移図である。
【図９】学習データ記憶部の記憶データ遷移図である。
【図１０】本実施の形態における表示遷移図である。
【図１１】本実施の形態の学習時の処理手順を示すフローチャートである。
【図１２】本実施の形態の表示時の処理手順を示すフローチャートである。
【図１３】本実施の形態における表示結果を示す図である。
【符号の説明】
１    携帯電話
１３    表示部
１４    キー操作部
２２    制御部
２４    ＲＯＭ
２９    ＲＡＭ
１３１    フォント選択画面
１４１    メールキー
１４２    アドレスキー
１４３    ファンクションキー
１４４    テンキー
１４５    文字切替キー
２４１    メールソフトウェアプログラム領域
２４３    文字書式学習制限画面記憶部
２９１    表示画面種類記憶部
２９２    登録データ記憶部
２９３    学習データ記憶部
２９４    ワークメモリ
２４３１    アドレス帳インデックス表示
２４３２    メモインデックス表示
２４３３    受信メール一覧
２９２１    アドレス帳データ格納領域
２９２２    メールデータ格納領域
２９２３    添付ファイル格納領域
【図１】
2005020670.tif 000003
【図２】
2005020670.tif 000004
【図３】
2005020670.tif 000005
【図４】
2005020670.tif 000006
【図５】
2005020670.tif 000007
【図６】
2005020670.tif 000008
【図７】
2005020670.tif 000009
【図８】
2005020670.tif 000010
【図９】
2005020670.tif 000011
【図１０】
2005020670.tif 000012
【図１１】
2005020670.tif 000013
【図１２】
2005020670.tif 000014
【図１３】
2005020670.tif 000015